(57)【要約】      （修正有）【課題】ＴＶ放送番組のＣＭをカットする編集を簡便に行えるうえ、通常再生時に的確な箇所でＣＭを自動カットすることができる番組記録再生装置を提供する。【解決手段】放送番組の映像・音声信号の記録、再生、編集およびチャプターマークを書き込む入力手段１７と、前記チャプターマークを前記映像・音声信号の記録位置情報に対応させて記憶するメモリ１４と、光ディスク１の記録情報を削除させる編集指令による再生でチャプターマークがあるときは読み出された映像・音声信号の記録位置情報にチャプターマークを対応させて新規のチャプターデータを前記メモリ１４に記憶させた後、メモリ１４の全チャプターデータを前記光ディスク１の所定管理情報エリヤに追加記録させ、通常再生の指令があると前記最初のチャプターデータと次のを１組として、順次各１対のチャプターデータに対応した記録信号をスキップして再生させる制御手段１５と、を備えた。【選択図】図１
2008035326.tif 000002
【特許請求の範囲】
【請求項１】
光ディスクに放送番組の映像・音声信号を記録するとき、この記録信号を区分するチャプターマークを書き込むとともに、このチャプターマークのデータを管理情報エリヤに記録させる機能を有した番組記録再生装置において、
前記映像・音声信号の記録、再生および編集に関する指令および前記チャプターマークを書き込む指令を発するキーを含む入力手段と、
前記チャプターマークを前記映像・音声信号の記録位置情報に対応させて記憶するメモリと、
前記入力手段から光ディスクの記録情報を削除させる編集指令があると再生を開始させ、次いで、チャプターマークの書き込み指令があると、その時点で読み出された映像・音声信号の記録位置情報にチャプターマークを対応させて新規のチャプターデータを前記メモリに記憶させた後、このメモリの全チャプターデータを前記光ディスクの所定管理情報エリヤに追加記録させ、通常再生の指令があると前記最初のチャプターデータと次のを１組として、順次各１対のチャプターデータに対応した記録信号をスキップして再生させる制御手段と、を備えた番組記録再生装置。
【請求項２】
前記制御手段が、通常再生中に前記入力手段からの早送り指令を受けると予め設定された時間早送りさせた後、通常再生に戻すことを特徴とする請求項１に記載の番組記録再生装置。
【請求項３】
前記制御手段が、通常再生中に前記入力手段からの早送り指令を受けると早送り再生させ、次いで、再生指令があると通常再生に戻すことを特徴とする請求項１に記載の番組記録再生装置。
【請求項４】
前記制御手段が、前記映像・音声信号のダビング指令を受けたとき、ダビングすべき光ディスクの残容量を検出した後、前記各１対のチャプターデータに対応する前記映像・音声信号の全記録時間を演算し、この結果に基づいて、前記残容量から当該光ディスクに記録可能な録画モードを選択して表示手段に表示させることを特徴とする請求項１に記載の番組記録再生装置。
【発明の詳細な説明】
【技術分野】
【０００１】
本発明は、光ディスクに音声・映像情報を記録し再生するディスクプレイヤー等の番組記録再生装置に係り、特に、ＣＭカットの編集を簡便に行い得る番組記録再生装置に関する。
【背景技術】
【０００２】
テレビ放送番組をＤＶＤやＨＤ等の光ディスクに記録した後、任意に編集可能とする装置が各種提案されている。
その一例として、ユーザーの用途範囲を拡大することを目的としたディジタルビデオディスク装置及びその再生制御方法が知られている。
このものは、管理情報記録手段と再生制御手段を兼ねるＣＰＵが、ディスク上の管理情報を記録する領域にマーク管理情報を記録させ、このマーク管理情報を利用して指定した領域の映像を、指定した種類の再生形態により再生させるようになっている。
なお、マーク管理情報は、例えば、ポイント再生やスキップ再生等の再生形態の種類を指定するためのマーク情報および指定領域を検索するためのアドレス情報からなる。
前記ＣＰＵは、ビデオの再生動作時にマーク管理情報に基づいて、順序再生操作、スキップ再生、ポイント再生といった再生形態での再生処理を実行する。
これにより、ユーザーは、録画動作時に指定した再生不要の映像部分をカットした映画等を鑑賞することができるというものである。
【特許文献１】特開平０９−７３７６１号公報また、記録媒体の空き容量を確保することを目的とした番組記録再生装置が提案されている。この番組記録再生装置は、コンテンツを録画・再生する番組録画再生部と、ユーザー指示情報を入力するユーザー操作部と、ユーザーの操作を記憶する操作履歴用のメモリと、コンテンツの消去領域を削除する消去編集部を備えている。この番組記録再生装置は、ユーザーが通常の再生、早送り、スキップ等の指示を行ったとき、それらの開始時刻、終了時刻を録画済み番組毎にメモリへ書き込む。
【０００３】
そして、再生時には、メモリの内容に基づきコンテンツの非再生領域を除いて再生する。また、このメモリに基づいて、番組の消去編集を行うようになっている。
【０００４】
この番組消去編集では、ユーザーが行った操作の情報に基づいて不要部分を消去するので、記録媒体の空き容量を確保することが可能となる。
【特許文献２】特開２００４−７１５５号公報  また、見たいシーンの検索を迅速に行うことを目的とした番組記録再生装置、並びに番組記録再生方法が知られている。
【０００５】
このものは、録画している番組の所定のシーンを検索した後に、再生開始した位置の情報をブックマークとして記憶するメモリと、このメモリに記憶されたブックマークに基づき、以後の同一番組の視聴シーンを検索するＭＰＵとを備えて構成されている。
【０００６】
このＭＰＵは、ＨＤＤに録画している番組の再生時に、早送り、スキップ等により見たいシーンを検索して再生がなされた場合、検索後に再生開始した際の位置の履歴をブックマークとして記憶しておく。
そして、以後の同一番組の視聴シーンを検索する際には、記憶されたブックマークの一覧から選択し、この選択したブックマークに基づいて再生を開始するようになっている。
【特許文献３】特開２００５−７３０３７号公報
【発明の開示】
【発明が解決しようとする課題】
【０００７】
ところで、上記特許文献１のディジタルビデオディスク装置及びその再生制御方法は、ディスク上の記録領域にマーク管理情報を記録しておいて、このマーク管理情報により各種の再生を行わせることはできるが、マーク管理情報を編集に利用する構成を有していない。
このため、ディスクに情報を記録した後、ＣＭをカットする編集等を簡便に行えず、再生時に不要なＣＭを自動スキップするといったことはできなかった。
また、上記特許文献２の番組記録再生装置は、番組消去編集で不要部分を消去し、記録媒体の空き容量を確保することはできるが、ＨＤＤからＤＶＤに記録情報をダビングするとき、ＤＶＤの残容量に応じてＣＭをカットした場合の録画モードを選択し、ダビングを可能にさせるといったことはできなかった。
また、上記特許文献３の発明は、見たいシーンを検索して再生がなされた場合、検索後に再生開始した際の位置の履歴をブックマークとして記憶しておくが、前述の如くディスクに情報を記録した後、ＣＭをカットする編集等を簡便に行えず、再生時に不要なＣＭを自動スキップするといったことはできなかった。
本発明は、上記課題に鑑みてなされたもので、ＴＶ放送番組のＣＭをカットする編集を簡便に行えるうえ、通常再生時に的確な箇所でＣＭを自動カットすることができる番組記録再生装置を提供することを目的としている。                 
【課題を解決するための手段】
【０００８】
上記目的を達成するため、本発明による番組記録再生装置は、光ディスクに放送番組の映像・音声信号を記録するとき、この記録信号を区分するチャプターマークを書き込むとともに、このチャプターマークのデータを管理情報エリヤに記録させる機能を有した番組記録再生装置において、前記映像・音声信号の記録、再生および編集に関する指令および前記チャプターマークを書き込む指令を発するキーを含む入力手段と、前記チャプターマークを前記映像・音声信号の記録位置情報に対応させて記憶するメモリと、前記入力手段から光ディスクの記録情報を削除させる編集指令があると再生を開始させ、次いで、チャプターマークの書き込み指令があると、その時点で読み出された映像・音声信号の記録位置情報にチャプターマークを対応させて新規のチャプターデータを前記メモリに記憶させた後、このメモリの全チャプターデータを前記光ディスクの所定管理情報エリヤに追加記録させ、通常再生の指令があると前記最初のチャプターデータと次のを１組として、順次各１対のチャプターデータに対応した記録信号をスキップして再生させる制御手段と、を備えたことを特徴としている。
また、前記制御手段が、通常再生中に前記入力手段からの早送り指令を受けると予め設定された時間早送りさせた後、通常再生に戻すことを特徴としている。
また、前記制御手段が、通常再生中に前記入力手段からの早送り指令を受けると早送り再生させ、次いで、再生指令があると通常再生に戻すことを特徴としている。
また、前記制御手段が、前記映像・音声信号のダビング指令を受けたとき、ダビングすべき光ディスクの残容量を検出した後、前記各１対のチャプターデータに対応する前記映像・音声信号の全記録時間を演算し、この結果に基づいて、前記残容量から当該光ディスクに記録可能な録画モードを選択して表示手段に表示させることを特徴としている。
【発明の効果】
【０００９】
以上説明したように、本発明による番組記録再生装置は、光ディスクの記録情報を削除させる場合、映像・音声信号の記録位置情報に対応させた新規のチャプターデータをメモリに記憶させた後、メモリの全チャプターデータを光ディスクの所定管理情報エリヤに追加記録させ、通常再生の指令があると最初のチャプターデータと次のを１組として、順次各１対のチャプターデータに対応した記録信号をスキップして再生させるので、例えば、前記各１対のチャプターデータに対応した記録信号がＣＭであると、通常再生時にＣＭを自動カットしつつ放送番組の映像・音声を再生させることができる効果がある。
また、前記制御手段が、通常再生中に入力手段からの早送り指令を受けると予め設定された時間早送りさせた後、通常再生に戻すので、通常再生時にＣＭを一定時間自動カットしつつ放送番組の映像・音声を再生させることができる利点がある。
また、前記制御手段が、通常再生中に前記入力手段からの早送り指令を受けると早送り再生させ、次いで、再生指令があると通常再生に戻すので、通常再生時にＣＭを的確に自動カットしつつ放送番組の映像・音声を再生させることができる利点がある。
また、前記制御手段が、ダビングすべき光ディスクの残容量を検出した後、各１対のチャプターデータに対応する映像・音声信号の全記録時間を演算し、この結果に基づいて、前記残容量から当該光ディスクに記録可能な録画モードを選択して表示手段に表示させるので、ＣＭがあるために所望の放送番組を記録できなくなるといった不具合を回避できる利点がある。
【発明を実施するための最良の形態】
【００１０】
以下、本発明に係る番組記録再生装置の実施形態について、図面を参照しながら詳述する。
図１は本発明の一実施形態である番組記録再生装置の電気的構成を示すブロック線図である。
本実施形態の番組記録再生装置は、ＨＤおよびＤＶＤの録画再生機能を備えた普及型のＤＶＤレコーダーに適用されたもので、ＨＤにＴＶ放送番組を記録したり、ＤＶＤ１に記録情報をダビング可能な構成となっている。
【００１１】
図１において、２はＤＶＤ１を載置するディスクトレイであり、ディスクモータ３によって回転駆動される。また、６は光ピックアップであり、ＤＶＤ１のトラックから光学的に読み取った再生情報をＲＦアンプ７に出力する。      
このＲＦアンプ７は、再生情報をサーボ制御部８とＤＳＰ１０とにそれぞれ送出する。なお、このサーボ制御部８の出力は、ＤＳＰ１０に導かれている。
サーボ制御部８は、フロントエンドマイコン（ＦＥマイコン）９からＤＳＰ１０を介して送受信されるコマンドや制御データに従い、光ピックアップ６に対するフォーカシングサーボやトラッキングサーボのサーボ制御を行う。
また、光ピックアップ６をＤＶＤ１の半径方向に移動させるスレッドモーター４の制御や、ディスクトレイ２を駆動するトレイモーター５の制御を行う構成となっている。
ＦＥマイコン９は、ＲＦアンプ７、サーボ制御部８およびＤＳＰ１０等を制御し、ＤＶＤ１から情報を再生させる一方、ＤＶＤ１に情報を記録させる構成になっている。
ＤＳＰ（Digital Signal Processor）１０は、ディジタルデータの信号処理を行うもので、ＳＤＲＡＭ１１やフラッシュメモリを備えている。このＤＳＰ１０は、ＲＦアンプ７により増幅され、ＤＶＤ規格に従ってデコードされたデータ（但し、ここでは、ＭＰＥＧ：Motion Picture Expert Groupにより圧縮されている）をＳＤＲＡＭ１１に一時格納する。
また、このＤＳＰ１０は、アタピ（ＡＴＡＰＩ：At  Attachment Packet Interfaceを内蔵しており、ＡＶコーデック１２側のアタピと双方向性に接続されていて、ＡＶ（Audio/Video）データを送受信するようになっている。
このＡＶコーデック１２は、前記ＭＰＥＧデータをエンコードおよびデコードするもので、ＤＯＲ・ＳＤＲＡＭ（ＳＤＲＡＭ）１３、ワークメモリ１４およびフラッシュメモリ等を備えている。
このＡＶコーデック１２は、ＤＳＰ１０側から送出されてくるデータをデコードする一方、オーディスイッチ２５やビデオスイッチ２７側から送出されてくるＡＶデータをエンコードしてＳＤＲＡＭ１３に一時格納する。
なお、ワークメモリ１４は、ＤＶＤまたはＨＤに記録するメインデータの記録位置を示すアドレスデータ（時間情報）に、チャプターマーク（連続番号）を対応させて記憶する。
このチャプターマークは、メインデータの管理情報として一定の時間間隔で記録されるチャプター（トラック）に等しい番号データであるが、前記ディスクに予め付与される番号とは異なる番号データとなっている。
また、このＡＶコーデック１２は、バックエンドマイコン（ＢＥマイコン）１５を内蔵しており、サブマイコン１６およびハードディスクドライバ（ＨＤＤ）２２と双方向性に接続されている。
ＢＥマイコン１５は、前記ＦＥマイコン９と双方向性に接続されており、両者９，１５によってＤＶＤレコーダー全体の動作を制御する構成になっている。
すなわち、リモコン１７またはキー入力部１９から指令信号が入力すると、その指令内容に応じてサーボ制御部８を制御し、ＤＶＤ１のリードインエリヤ、ユーザーデータエリヤおよびリードアウトエリヤに情報を記録または当該情報を再生する制御を行う。
サブマイコン１６には、リモコン１７からの赤外線送信信号を受ける受信部１８およびキー入力部１９の出力が接続されている。
リモコン１７は、キー入力部１９と同じく普及型のＤＶＤレコーダーが有する各種機能キーを備えている。
即ち、録画・再生・編集に関するキーとして、ＨＤＤまたはＤＶＤの選択キー、再生キー、停止キー、一時停止キー、早送りキー、早戻しキー、スキップキー、録画キー、ダビングキー、プレイリストキー、カーソルキー、決定キーその他である。
【００１２】
また、チャプターマークのデータ（チャプターマーク）を記録させるチャプターキーをテンキーの何れかに兼用している。
【００１３】
本例では、メニューキーにより画面にメニューを表示させて、チャプターマークの入力を設定すると、テンキーを操作したときにチャプターマークを記録可能となっている。なお、チャプターマークの入力専用キーを設けてもよい。
また、サブマイコン１６には、表示ドライバ２０やＬＥＤ表示部も接続されている。
表示ドライバ２０は、蛍光管表示部２１の制御を行うもので、サブマイコン１６の制御に従い、再生・記録に関する各種情報を表示させる。
なお、ＨＤＤ２２は、受信したＥＰＧデータによる予約プログラムに従い、チューナ２３からのＴＶ放送番組情報をハードディスク（ＨＤ）に記録させる。
このとき、記録した番組のＥＰＧデータに基づいて、記録コンテンツリストを作成し、記録する。
コンテンツリストは、番組の番号、チャンネル、年月日、記録時間、ジャンル、タイトル等である。
２３はチューナであり、テレビ放送の受信信号を音声多重ＩＣ２４とビデオスイッチ２５に送出する。
音声多重ＩＣ２４は、チューナ２３側からの音声信号に日本語音声等を多重してオーディオスイッチ２６に出力する。
このオーディオスイッチ２６は、アナログのオーディオ信号をディジタルのオーディオデータに変換してＡＶコーデック１２側へ送出する。
また、オーディオ入力端子３２や３３からのオーディオ信号をディジタルのオーディオデータに変換してＡＶコーデック１２側へ送出する。
一方、ビデオスイッチ２５は、チューナ２３側からの受信チャンネルの映像信号を受けて、ビデオデータに変換しＡＶコーデック１２側へ送出する。
また、ビデオ入力端子３０や３１からのビデオ信号をディジタルのビデオデータに変換してＡＶコーデック１２側へ送出する。
２８はビデオドライバであり、ＡＶコーデック１２からのビデオデータをビデオ信号に変換してビデオ出力端子３４や３５に送出する。
２９はオーディオＤＡコンバータであり、ＡＶコーデック１２からのディジタルオーディオデータをアナログオーディオ信号に変換してオーディオ出力端子３６に送出する。
前記ビデオ出力端子３４，３５およびオーディオ出力端子３６には、ＴＶモニタが接続されており、ビデオ出力端子３４，３５からのビデオ信号とオーディオ出力端子３６よりのオーディオ信号を受けて、モニタの画面に映像を表示しスピーカから音声を放音させる。
なお、ビデオ出力端子３４には、OSD（On Screen Display）回路の出力が導かれている（図示省略）。このOSD回路は、ＢＥマイコン１５の表示制御に基づき、ビデオ出力端子３４にOSD信号を出力し、ＴＶモニタの画面にメニューとして各種設定項目を表示させる（図２参照）。
次に、上記ＤＶＤレコーダーの記録・再生動作について、図４のフローチャートを参照しつつ説明する。
このＤＶＤレコーダーにセットされるＤＶＤ１には、予めユーザーデータエリヤにＡＶ情報としてＴＶ放送番組の映画がＣＭとともに記録されている。また、リードインエリヤには、この映画に関した管理情報が記録されている。
ユーザーが、この映画の再生時にＣＭを自動スキップするよう編集しておく場合、ＤＶＤレコーダーのトレイにＤＶＤ１を装着しておく。
まず、リモコン１７のメニューキーを操作すると、図２に示すＴＶの画面に各種項目のメニューが表示される。そして、ＣＭに関する項目を選択すると、「ＣＭスキップ再生」「ＣＭスキップ編集」「ＣＭスキップ記録」等が表示される。
「ＣＭスキップ編集」では、「一定時間」と「任意時間」がチェックボックスとともに表示される。
ここで、ユーザーが、「ＣＭスキップ編集」を選択し、「一定時間」のチェックボックスにチェックを入れると、ＣＭを予め設定された３０秒間スキップさせる「スキップモード１」が設定される。なお、この「スキップモード１」では、ＣＭスキップ時間を秒単位で変更可能となっている。
一方、任意にＣＭをスキップさせるときは、「任意時間」のチェックボックスにチェックを入れる。
ユーザーが、設定時間でＣＭをスキップさせる場合は、「一定時間」のチェックボックスにチェックを入れた後、リモコン１７の再生キーを操作する。
すると、この再生指令に従ってFEマイコン９がサーボ制御部８を制御し、記録トラックの情報を読み取らせる。
これに伴い、BEマイコン１５はＴＶの画面に録画コンテンツのリストを表示させる（ステップＳ１１）。
ユーザーが、録画番組の何れかを選択し（ステップＳ１２）、ＣＭスキップを設定する（ステップＳ１３）。なお、ＣＭスキップを設定しない間は、「通常再生モード」の待機状態にある。
「ＣＭスキップ」が設定されると、BEマイコン１５は「スキップモード１」か「スキップモード２」の何れかを判別する（ステップＳ１４）。
ここでは、予め「スキップモード１」が選択されているので、ＣＭを一定時間スキップさせるための動作を開始する（ステップＳ１５）。
FEマイコン９は、サーボ制御部８を制御し、ＤＶＤ１の記録情報を通常の定速で再生させる（ステップＳ１６）。これに伴い、ＴＶの画面には映画のシーンが映し出される。
この後、BEマイコン１５は、早送り指令が入力したか否かを判別する（ステップＳ１７）。
ここで、ユーザーがＣＭに差しかかったとき、早送りキーを操作すると、BEマイコン１５はサーボ制御部８に早送り再生を開始させる（ステップＳ１８）。よって、画面表示のＣＭが早送りされる。
また、BEマイコン１５はメモリ１４にチャプターデータを記憶させる（ステップＳ１９）。このときは、ＣＭ開始時点の記録位置を示すアドレスデータ（時間情報）にチャプターデータ（新規の連続番号）を対応させて記憶する。
続いて、BEマイコン１５は、カウンタに時間のカウントを開始させる。
この後、カウント時間が３０秒を経過したか否かを判別し（ステップＳ２０）、３０秒になると通常再生に移行させる（ステップＳ２１）。このため、画面には定速で映像が表示される。
また、BEマイコン１５は、通常再生に移行した時点でメモリ１４にチャプターデータを記憶させる（ステップＳ２２）。
この際は、ＣＭ終了時点の記録位置を示すアドレスデータにチャプターデータを対応させて記憶する。
次いで、再生終了か否かを判別し、再生停止指令あるいは記録終了の情報が入力しなければ、ステップＳ１７に戻り、早送り指令が入力したか否かを判別する。
ここで、再生停止指令もしくは記録終了の情報が入力すると、再生動作を停止させる（ステップＳ２３）。そして、メモリ１４に記憶されているチャプターマークの全データをＤＶＤ１のリードインエリヤに管理情報として書き込ませる。
このときは、最初のチャプターデータと次のチャプターデータとを１組として、順次各１対のチャプターデータを書き込む。そして、一連のＣＭスキップ記録・再生動作を終了する。
ところで、ステップＳ１４におけるスキップモードの判別において、「スキップモード２」が選択されている場合、ＣＭを任意の時間でスキップ可能とする「スキップモード２」の動作を開始する（ステップＳ２４）。
この「スキップモード２」では、FEマイコン９がＤＶＤ１の記録情報を通常の定速で再生させる（ステップＳ２５）。これに伴い、ＴＶの画面には映画のシーンが映し出される。
この後、BEマイコン１５は、早送り指令が入力したか否かを判別する（ステップＳ２６）。
ユーザーがＣＭに差しかかった時点で、スキップキーを操作すると、BEマイコン１５はサーボ制御部８に早送り再生を開始させる（ステップＳ２７）。よって、画面表示のＣＭが早送りされる。
また、BEマイコン１５はメモリ１４にチャプターデータを記憶させる（ステップＳ２８）。このときも、ＣＭ開始時点の記録位置を示すアドレスデータに新規のチャプターデータを対応させて記憶する。
この際、ＣＭ部分がスキップされるので、画面には表示されない。
次いで、BEマイコン１５は、再生指令が入力したか否かを判別する（ステップＳ２９）。
ユーザーが、ＴＶ画面の映像を見ながら、ＣＭが終わった時点で再生キーを操作すると、BEマイコン１５はスキップ再生を終了し、通常再生に移行させる（ステップＳ３０）。このため、画面には通常の速度で映像が表示される。
また、BEマイコン１５は、通常再生に移行した時点でメモリ１４にチャプターマークを記憶させる（ステップＳ３１）。ここでは、ＣＭ終了時点の記録位置を示すアドレスデータに新規のチャプターデータを対応させて記憶する。
続いて、再生終了か否かを判別し、再生停止指令あるいは記録終了の情報が入力しなければ、ステップＳ２６に戻り、スキップ指令が入力したか否かを判別する。
ここで、再生停止指令もしくは記録終了の情報が入力すると、再生動作を停止させる（ステップＳ３２）。
そして、メモリ１４に記憶されているチャプターマークの全データをＤＶＤ１のリードインエリヤに管理情報として書き込ませる。
このときも、最初のチャプターデータと次のチャプターデータとを１組として、順次各１対のチャプターデータを書き込む。そして、一連のＣＭスキップ記録・再生動作を終了する。
これにより、通常再生時にＣＭを的確に自動スキップ（ジャンプ）しつつ放送番組の映像・音声を再生可能となる。
図５は、上記ＤＶＤレコーダーのＣＭスキップ再生動作を説明するためのフローチャートである。
ユーザーが、ＣＭの無い再生をしたい場合、リモコン１７のメニューキーを操作し、図2に示す表示項目の中から「ＣＭスキップ再生」を選択しておくと、ＣＭスキップ再生モードが設定される。
続いて、リモコン１７の再生キーを操作すると、再生指令に従って記録トラックの情報が読み取られ、ＴＶの画面に録画コンテンツのリストが表示される（ステップＳ４１）。
このとき、リードインエリヤの管理情報が読み出され、チャプターマークのデータが有るとメモリ１４に記憶させる。ここでは、前記各１対のチャプターデータが記憶される。
そして、ユーザーが、録画番組の何れかを選択すると（ステップＳ４２）、ＣＭスキップ再生モードに移行し（ステップＳ４３）、ＤＶＤ１の記録情報を定速で再生させる（ステップＳ４４）。これに伴い、ＴＶの画面には映画のシーンが映し出される。
この間、BEマイコン１５は、メモリ１４のチャプターデータをチェックしているので（ステップＳ４５）、このチャプターデータに対応する箇所が再生されるときはスキップさせる（ステップＳ４６）。
このため、画面にはＣＭカット（ジャンプ）された映像のみが表示される。これにより、ユーザーは連続して映画を見ることができる。
そして、次のチャプターデータに対応する箇所になると、記録情報を定速で通常再生させる（ステップＳ４８）。このため、ＴＶの画面には映画のシーンが途切れることなく映し出される。
この後、再生終了か否かを判別し（ステップＳ４９）、再生停止指令あるいは記録終了の情報が入力したときに再生を停止し、一連の動作を終了する（ステップＳ５０）。
よって、通常再生時には、本番組にずれ込むことなくＣＭを的確に自動スキップ（ジャンプ）しつつ放送番組の映像・音声を再生させることができる。
図６は、上記ＤＶＤレコーダーの編集動作を説明するためのフローチャートである。
ユーザーが、ＨＤからＤＶＤ１に放送番組をダビングする際、ＤＶＤ１の残容量が少ないことがある。
このような場合は、リモコン１７のメニューキーを操作し、図2に示す表示項目の中から「ＣＭスキップ記録」を選択すると、ＣＭスキップ記録モードが設定される。
続いて、リモコン１７の再生キーを操作すると、再生指令に従って記録トラックの情報が読み取られ、ＴＶの画面に録画コンテンツのリストが表示される（ステップＳ５１）。
そして、ユーザーが、録画番組の何れかを選択すると（ステップＳ５２）、ＣＭスキップ記録モードに移行する（ステップＳ５３）。
まず、ＤＶＤ１に残容量が有るか否かを判別し（ステップＳ５４）、残容量が無ければそれを表示させる（ステップＳ５５）。
一方、残容量が有るとその時間を検出する（ステップＳ５６）。
次いで、リードインエリヤの管理情報を読み出し、チャプターマークのデータ間の情報記録時間を演算する（ステップＳ５７）。これにより、ＣＭ部分の全時間と映像・音声信号（メインのＡＶデータ）の全時間とが算出される。
また、この演算結果に基づいて、BEマイコン１５は、ＣＭ部分削除後の記録可能時間を算出する（ステップＳ５８）。
さらに、録画モード毎の記録可能時間を算出し、その結果を図3に示すように、ＴＶの画面に表示させる（ステップＳ５９）。
この画面では、ＣＭ削除後の記録時間として、全ＣＭ時間と、このＣＭ時間を除いた場合における録画モード毎の記録可能時間が表示される。
この間、BEマイコン１５はダビング指令が入力したか否かを判別する（ステップＳ６０）。
ここで、ユーザーが録画モード毎の記録可能時間を見て、適当なモードを選択すると、BEマイコン１５は選択された録画モードによりダビングを開始させる（ステップＳ６１）。
続いて、チャプターマーク間の記録情報であるＣＭを削除させて、メインのＡＶデータを記録させる（ステップＳ６２）。
この後、ダビングが終了したか否かを判別し（ステップＳ６３）、終了時点で一連のダビング動作を終了する。
これにより、ＤＶＤ１の残容量が少ない場合でも、効率的にＨＤの情報を記録することができる。
よって、ＨＤに連続記録したＴＶ放送番組をＤＶＤへダビングするとき、ＣＭがあるために必要な時間分を記録できなくなるといった不具合が回避される。
なお、本発装置明は上記の各実施形態に限定されず、本発明の趣旨を逸脱しない範囲で、種々の変更が可能である。
【図面の簡単な説明】
【００１４】
【図１】本発明の一実施形態である番組記録再生装置の電気的構成を示すブロック線図である。
【図２】ＴＶに表示されたメニューの設定項目を示す画面図である。
【図３】ＴＶに表示された録画モード毎の記録時間を示す画面図である。
【図４】ＤＶＤレコーダーの記録・再生動作を説明するためのフローチャートである。
【図５】ＤＶＤレコーダーのＣＭカット再生動作を説明するためのフローチャートである。
【図６】ＤＶＤレコーダーの編集動作を説明するためのフローチャートである。
【符号の説明】
【００１５】
１      光ディスク
１４   メモリ
１５   制御手段
１７   入力手段
【図１】
2008035326.tif 000003
【図２】
2008035326.tif 000004
【図３】
2008035326.tif 000005
【図４】
2008035326.tif 000006
【図５】
2008035326.tif 000007
【図６】
2008035326.tif 000008